(57)【要約】【課題】厚みのある手袋で操作しても確実にタッチを検出することができる「タッチ入力装置」とする。【解決手段】タッチパッドに所定距離近付いたことを検出する近接センサ機能部と、タッチパッドに接触したことを検出する直接接触検出センサ機能部とを備えたタッチ入力装置において、近接センサに物体が近接したことを検出した時、同一間隔所定距離移動検出部で同一間隔で所定距離移動したことを検出した時、手袋で操作したことを検出し、その間隔を記憶する。またその後同一間隔でタッチした時には同じ手袋でタッチしたと検出する。その後タッチパッドに直接タッチしたことを検出した時には、手袋を脱いだものとして間隔の記憶を解除する。手袋でタッチしたことを検出する操作は、ハンドルにタッチパッドを貼って、フロントモニタの操作を開始する信号として利用可能である。【選択図】図１
2013142943.tif 000002
【特許請求の範囲】
【請求項１】
タッチパッドに所定距離近付いたことを検出する近接センサ機能部と、タッチパッドに直接接触したことを検出する直接接触検出センサ機能部とを備えたタッチ入力装置に於いて、  
前記近接センサに物体が近接したことを検出した時、同一間隔で所定距離移動したことを検出する同一間隔所例距離移動検出部と、
前記で同一間隔所定距離移動検出部にて同一間隔で所定距離移動したことを検出した時にその間隔を記憶する間隔記憶部とを備えたことを特徴とするタッチ入力装置。
【請求項２】
前記間隔記憶部で記憶された間隔でその後タッチした時、該タッチに対応した作動を行うことを特徴とする請求項１記載のタッチ入力装置。
【請求項３】
前記同一間隔所定距離移動検出部にて同一間隔で所定距離移動したことを検出した後、タッチパッドに直接接触したことを検出した時、前記間隔記憶部は記憶した間隔を削除することを特徴とする請求項１記載のタッチ入力装置。
【請求項４】
前記同一間隔所定距離移動検出部で、同一間隔で所定距離移動したことを検出した後、所定の作動を行うことを特徴とする請求項１記載のタッチ入力装置。
【請求項５】
前記所定の作動は、次画面を表示する作動であることを特徴とする請求項４記載のタッチ入力装置。
【請求項６】
前記次画面はメニュー画面であることを特徴とする請求項４記載のタッチ入力装置。
【発明の詳細な説明】
【技術分野】
【０００１】
本発明は、タッチパッド等のタッチを検出するタッチ入力装置に関し、特に  手袋をしてタッチしても検出することができるようにしたタッチ入力装置に関する。
【背景技術】
【０００２】
近年は画像表示装置にタッチパッド等のタッチセンサを設け、画像に表示された機能を行うようになっている。このような機能はタッチパネルとも称され、画像に表示された機能のほか、白紙のパネルに各種の文字や画像を描くためにも使用されている。以下このようなタッチセンサを「タッチバッド」と総称する。
【０００３】
このようなタッチパッドには、圧力を検出して、その圧力によりタッチを検出するものと、静電気の容量を検出するものとに大別されるが、静電容量式はタッチしなくても近接しただけで検出することができるため、近接センサとも称されている。このような近接センサの機能によれば、タッチパッドに指等の導電体が近付けばこれを検出することができるので、タッチする前の動作も検出することができ、種々の制御に用いられる。
【０００４】
一方、このようなタッチパッドが車両のナビゲーション装置等の車載機に用いられる時、車を運転する人が手袋をして運転をする時等があり、手袋をしたまま車載機のタッチパッドを操作することがある。特にバス・タクシーの運転手、リムジンの運転手、夏冬を問わずオープンカーの運転手、女性で冷え性な人等、冬の冷たいハンドルが嫌いな人、夏、日焼けが嫌いな人、運転はしないが冬の助手席の人等が、ナビゲーション装置等をいじる時は手袋をしたまま操作することとなる。
【０００５】
このような時に、感圧式のタッチパッドでは特に問題ないが、静電容量式のタッチパッドでは、静電容量を検出しているため、反応せずタッチを検出することができない場合が多かった。そのため、指先に導電処理をした特殊な手袋が販売され、これを利用する人もいる。
【０００６】
上記課題を解決するため、指がタッチパッドから一定距離離れた状態で一定時間経過した時は、手袋で操作されたものと見なして、ＯＮと判定する技術が特許文献１に開示されている。
【先行技術文献】
【特許文献】
【０００７】
【特許文献１】特開２００９−１８１２３２号公報
【発明の概要】
【発明が解決しようとする課題】
【０００８】
しかしながら上記技術では、一定時間の停止を検出するため、フリック操作等の短い時間での操作には対応できない問題がある。また、予め素手での操作の閾値（ａ）と、手袋操作時の閾値（ｂ）を決めておく方式であるが、厚みのある手袋に対応するため閾値（ｂ）を多くくし過ぎると、タッチパッド上での迷い操作がある時、その迷い操作での誤動作が増えてしまう。そのため前記閾値（ｂ）を小さくせざるをえず、そのため、厚みのある手袋には対応できないという問題があった。
【０００９】
したがって、本発明は厚みのある手袋で操作しても確実にタッチを検出することができる、タッチ入力装置を提供することを主たる目的とする。
【課題を解決するための手段】
【００１０】
本発明に係るタッチ入力装置は、上記課題を解決するため、タッチパッドに所定距離近付いたことを検出する近接センサ機能部と、タッチパッドに直接接触したことを検出する直接接触検出センサ機能部とを備えたタッチ入力装置に於いて、前記近接センサに物体が近接したことを検出した時、同一間隔で所定距離移動したことを検出する同一間隔所例距離移動検出部と、前記で同一間隔所定距離移動検出部にて同一間隔で所定距離移動したことを検出した時にその間隔を記憶する間隔記憶部とを備えたことを特徴とする。
【００１１】
前記間隔記憶部で記憶された間隔でその後タッチした時、該タッチに対応した作動を行うことを特徴とする。
【００１２】
前記同一間隔所定距離移動検出部にて同一間隔で所定距離移動したことを検出した後、タッチパッドに直接接触したことを検出した時、前記間隔記憶部は記憶した間隔を削除することを特徴とする。
【００１３】
前記同一間隔所定距離移動検出部で、同一間隔で所定距離移動したことを検出した後、所定の作動を行うことを特徴とする。
【００１４】
前記所定の作動は、次画面を表示する作動であることを特徴とする。
【００１５】
前記次画面はメニュー画面であることを特徴とする。
。
【発明の効果】
【００１６】
本発明は上記のように構成したので、厚みのある手袋で操作しても確実にタッチを検出することができるようになる。
【図面の簡単な説明】
【００１７】
【図１】本発明の実施例の機能ブロック図である。
【図２】同実施例の作動フロー図である。
【図３】同実施例の作動を示す図である。
【図４】同実施例の他の作動を示す図である。
【発明を実施するための形態】
【実施例】
【００１８】
本発明の実施例を図面に沿って説明する。図１は本発明におけるタッチ入力装置の実施例の機能ブロック図であり、本発明を各種の態様で実施することができるようにした機能ブロック図を示している。
【００１９】
そもそも、手袋をしている時にタッチを検出できない理由は、手袋によりタッチパッドから一定の距離だけ離れてしまい、容量変化がわずかとなり通常タッチした場合の容量変化のレベルに達しないからである。一方、プリセンスは容量変化の検出レベルを上げ、指が近付いた変化を捉えることができる。従って、手袋をした状態ではタッチしたことを検出できなくともプリセンスの検出は可能である。
【００２０】
そこで、このプリセンスを利用し、タッチパッドの指の位置とタッチパッドとの間隔を連続的に測定する。そして、以下の条件が満たされた場合、手袋使用モードとする。
１．タッチパッドの指の間隔があまり変化しない状態にあり、安定している。
２．指の位置が一定距離以上移動した。
【００２１】
ここで、手袋使用モードでは、タッチパッドと指の間隔が、接触を検出して距離を測定した状態がタッチ検出と見なす。また、手袋使用モードでは、タッチパッドと指の間隔が、前記タッチしたと検出した距離以上の時はタッチしていないと検出する。また、タッチパッドと指の距離がゼロになった時、即ちタッチが検出された時点で、手袋使用モードを解除する。という作動を行う。
【００２２】
このような作動は図１の機能ブロック図に示される各機能部によって行われる。即ち、静電容量センサからなるタッチパッド１には、直接タッチしたことを検出する直接接触センサ機能部２と、タッチするものが近接したことを検出する近接センサ機能部４とを備える。また、この近接センサ機能部４には手袋使用検出部５を備える。この手袋使用検出部５には、間隔検出部６を備え、近接センサに於いて近接したものとの間隔を検出する。
【００２３】
また、同一間隔所定距離移動検出部７を備え、近接センサ機能部４が間隔検出部５で同一間隔で所定距離移動したことを検出する。この時の同一間隔は間隔（ｄ）記憶部８に記憶される。以降は近接センサで前記記憶した間隔（ｄ）で近接した物体は、手袋をして接触したものと見なす。更に、もしもその後直接接触センサ機能部２で直接接触をしたことを検出した時には、間隔（ｄ）記憶解除部３でその記憶値を解除し、以降は手袋無しでタッチしたものと見なす。
【００２４】
また、上記のように直接タッチしたことを検出する直接接触センサ機能部２、および手袋使用検出部５で検出を行った後の近接センサ機能部４でのタッチ操作は、各々作動部９に出力され、画面に表示された特定機能の所定の作動を行う。
【００２５】
上記のような機能部からなるタッチセンサにおいては、図２の作動フローに従って順に作動させることにより実施することができる。以下に、図１の機能ブロック図および図３および図４を参照しつつ説明する。
【００２６】
図２に示すタッチセンサのタッチ検出作動においては、最初タッチパッドの近接センサが物体の近接を検出したか否かを判別する（ステップＳ１）。近接センサが物体を検出しない時にはこの作動を繰り返す、この作動は図１の近接センサ機能部４において、物体の近接を検出することによって行われる。ここで近接センサ機能部４が物体の近接を検出した時には、その後、タッチパッドに直接接触を検出したか否かを判別する（ステップＳ２）。この作動は図１の直接接触センサ機能部２において、近接センサ機能部４の後に直接接触センサ機能部２が直接接触を検出したか否かによって判別することができる。
【００２７】
ここでタッチパッドに直接接触を検出しない時には、図２の実施例では既に手袋間隔記憶値（ｄ）があるか否かを検出している。即ち、図１の間隔（ｄ）記憶部８に記憶値があるか否かを検出している。これは既に手袋でタッチしていることを検出している状態か、最初の手袋をしてタッチしていることを検出する作動を行うかを判別するものである。
【００２８】
ここで未だ手袋間隔記憶値（ｄ）が記憶されていないと判別した時には、同一間隔（ｄ）で所定距離水平移動したか否かを判別する。即ち、近接センサで導電性物体が所定距離（ｄ）近接し、しかも所定距離移動したか否かを判別する。この時の所定距離は１ｃｍ、３ｃｍ等任意の距離を設定することができる。また、この作動は図１の間隔検出部６で所定間隔を検出した後、同一間隔所定距離移動検出部７で所定距離移動したことを検出することにより行っている。
【００２９】
この状態は図３にも示しており、タッチパッド１１に手袋をはめた指が近接し、時点ａで指１２−１が近接センサにより検出され、時点ｂで手袋をはめた指がタッチパッドと接触し、所定間隔ｄとなる。その後手袋をはめた指がタッチパッド上を滑り、従って一定間隔のまま時点ｃに至り、その後手袋をはめた指がタッチパッドから離れ、時点ｅで近接センサの検出領域外となり、検出不能となる状態を示している。
【００３０】
この様に同一間隔（ｄ）で所定距離水平移動したことを検出した時には、手袋をしてタッチしたと検出する（ステップＳ５）。次いでタッチに応じた所定の作動が行われる（ステップＳ６)。ただし、通常の作動においては初回の手袋をはめた作動においては、画面にどのような操作画面が表示されていても、操作は行われることなく、タッチに応じた所定の作動は行われることはない。しかしながら、図４に示す操作においては所定の作動が行われる。
【００３１】
図４には手袋で触ることにより、手袋による操作を検出し、且つ所定の作動が行われる例を示している。近年ダッシュボードの中央部、即ち運転席と助手席の間に配置していたナビゲーション用の画面を、計器盤の中央、即ち運転席の直前方に配置する技術開発が進められている。
【００３２】
この技術では図４に示すように計器１３の中央にモニタ１４を配置し、両側に計器を配置している。このように、中央にモニタを配置することにより、運転者にこのモニタを見やすくしている。また、その操作はハンドルの裏側となるので直接タッチ操作等は困難となるので、ハンドルにタッチパッドを設け、ハンドルのタッチにより種々の操作が行われるようになっている。
【００３３】
このようないわゆる「フロントモニタ」方式では、最初図４（ａ）のような初期画面から操作を行う時、これから操作を行うことをハンドル１５のタッチバッド１６を水平にタッチすることから開始する。即ち、同図（ｂ）に示すようにタッチパッドを横方向に水平移動する操作により、次の図４（ｃ）に示すメニュー選択画面が出るようにしている。
【００３４】
これは、運転者が意図せずにこのハンドル１５のタッチパッド１６に接触して、思わぬ画面が表示されることを防止するためである。
【００３５】
このような操作と表示がなされる場合、本発明で手袋をしてタッチパッドを操作する時、図２のステップＳ４で同一間隔（ｄ）で所定距離水平移動したことを検出した時、ステップＳ５で手袋をしてタッチしたことを検出し、ステップＳ６でタッチに応じた所定の作動としての、次の画面に移動するという所定の作動を行うこととなる。
【００３６】
次いでステップＳ６で所定の作動を行わなかった時と共にステップＳ７に進み、手袋間隔（ｄ）を記憶する。この作動は図１の手袋使用検出部５で同一間隔所定距離移動検出部７において所定間隔（ｄ）で所定距離移動したことを検出した時、その間隔（ｄ）を間隔（ｄ）記憶部８に記憶することにより行っている。その後、ステップＳ１に戻って新たな入力を待つ。
【００３７】
一方、ステップＳ３で手袋間隔（ｄ）の記憶値があると判別した時は、既に先の手袋検出処理が成されているので、ステップＳ８に進み、今度検出したタッチパッドに近接センサで検出した操作は、先に記憶した手袋間隔（ｄ）と同じであると検出した時には、手袋でタッチしたと検出し（ステップＳ９）、タッチに応じた所定の作動を行う（ステップＳ１０）。その後、ステップＳ１に戻って新たな入力を待つ。
【００３８】
それに対して今度検出したタッチパッドに近接センサで検出した操作は、先に記憶した手袋間隔（ｄ）ではないと検出した時には、手袋で操作したものではなく、何らかの別の操作が行われたものと検出し、再びステップＳ１に戻り再度の入力を待つ。
【００３９】
また、ステップＳ２で、タッチパッドに直接接触を検出したと判別した時には、これを図１の直接接触センサ機能部２が検出し、その後手袋間隔（ｄ）を削除する（ステップＳ１１）。この作動は直接接触センサ機能部２において、間隔（ｄ）記憶解除部３によって行われる。それによりその後は手袋をしない作動モードに移ったことを検出し、以降はタッチに応じた作動を行い、ステップＳ１に戻って次の入力を待つ。この場合は多くの場合、ステップＳ２でタッチパッドに直接接触したことを検出することとなる。
【符号の説明】
【００４０】
１  タッチパッド
２  直接接触センサ機能部
３  間隔（ｄ）記憶解除部
４  近接センサ機能部
５  手袋使用検出部
６  間隔検出部
７  同一間隔所定距離移動検出部
８  間隔（ｄ）記憶部
９  作動部
【図１】
2013142943.tif 000003
【図２】
2013142943.tif 000004
【図３】
2013142943.tif 000005
【図４】
2013142943.tif 000006